(57)【特許請求の範囲】
【請求項１】
基台上に設けた昇降機構に人形の胴体を取り付け、該胴体に揺動機構を介して旗を持った腕を取り付け、作動信号を受けて昇降機構及び揺動機構を駆動する制御装置を設け、
前記昇降機構は、左右のネジが切られたネジロッドと、このネジロッドの各ネジに螺合したナットを下端に設け、台板に取り付けられたロッドにスライド係合した摺動部材を上端に設けたパンタグラフ状の伸縮腕と、ネジロッドを正逆回転するモータと、ナットに当接して閉じるスイッチで構成され、昇降機構の周囲は上端が台板に取り付けられた蛇腹状のシートで覆われ、台板に人形の胴体が取り付けられ、
前記揺動機構は回転円盤と、胴体に支軸された揺動杆と、回転円盤の縁に植設されたピンと揺動杆の一端に植設されたピンを連結した連結杆と、回転円盤を回転するモータで構成され、揺動杆に前記旗を持った腕が取り付けられていることを特徴とする表示装置。
【請求項２】
前記基台には矢印状の発光体を有する看板が設けられ、前記制御装置は作動信号を受けて発光体を点滅する請求項１記載の表示装置。
【発明の詳細な説明】
【０００１】
【発明の属する技術分野】
本発明は、給油所又は駐車場のように車が出入りする場所に設置する表示装置に関するものである。
【０００２】
【従来の技術】
給油所又は駐車場の出口に設置され、退出する車があることを道路を走行中の車へ知らせる表示装置として、本出願人は特願平９ー１８０３８１号として提案している。この表示装置は、基台上に人形の形をしたロボットを取り付け、該ロボットの胴体に揺動機構を介して旗を持った腕を取り付け、作動信号を受けて揺動機構を駆動する制御装置を設けている。この提案は有効であるが、動く部分が腕だけであるので、表示装置としての顕示性が低く、道路を走行している車の運転者に検知されないことがあり、退出する車及び道路を走行している車の安全が充分に確保できなかった。また、この表示装置を入口に設置した場合も、表示装置としての顕示性が低く、道路を走行している車の運転者に検知されないことがあり、入車案内としての機能に問題があった。
【０００３】
【発明が解決しようとする課題】
そこで本発明の目的は、前記従来例の不都合を解消し、顕示性が高く、道路を走行している車の運転者に検知され易く、出口に設置した場合は、退出する車及び道路を走行している車の安全が確保でき、入口に設置した場合は、入車案内としの機能を充分に発揮できるようにした表示装置を提供することである。
【０００４】
【課題を解決するための手段】
前記目的を達成するために、本発明の表示装置は、基台上に設けた昇降機構に人形の胴体を取り付け、該胴体に揺動機構を介して旗を持った腕を取り付け、作動信号を受けて昇降機構及び揺動機構を駆動する制御装置を設け、前記昇降機構は、左右のネジが切られたネジロッドと、このネジロッドの各ネジに螺合したナットを下端に設け、台板に取り付けられたロッドにスライド係合した摺動部材を上端に設けたパンタグラフ状の伸縮腕と、ネジロッドを正逆回転するモータと、ナットに当接して閉じるスイッチで構成され、昇降機構の周囲は上端が台板に取り付けられた蛇腹状のシートで覆われ、台板に人形の胴体が取り付けられ、前記揺動機構は回転円盤と、胴体に支軸された揺動杆と、回転円盤の縁に植設されたピンと揺動杆の一端に植設されたピンを連結した連結杆と、回転円盤を回転するモータで構成され，揺動杆に前記旗を持った腕が取り付けられていること、および、前記基台には矢印状の発光体を有する看板が設けられ、前記制御装置は作動信号を受けて発光体を点滅することを要旨とするものである。
【０００５】
本発明によれば、基台上に設けた昇降機構に人形の胴体を取り付け、該胴体に揺動機構を介して旗を持った腕を取り付け、作動信号を受けて昇降機構及び揺動機構を駆動する制御装置を設けている。このように人形は昇降機構により昇降し、人形の腕は揺動機構により揺動するので、表示装置としての顕示性が高くなり、道路を走行している車の運転者に検知され易く、出口に設置した場合は、退出する車及び道路を走行している車の安全が充分に確保でき、入口に設置した場合は、入車案内としの機能を充分に発揮できるようになる。
【０００６】
そして、前記基台には矢印状の発光体を有する看板が設けられ、前記制御装置は作動信号を受けて発光体を点滅するので、点滅する矢印で車の進む方向が解り、また夜間でもはっきりと確認することができる。
【０００７】
【発明の実施の形態】
以下、本発明の実施の形態を、図に基づいて説明する。図１、２に示すように、表示装置１は遠くからでも目立つように人形の形をしている。そして、キャスタ２を設けた基台３上には昇降機構４が設けられ、この昇降機構４には人形の胴体５が取り付けられ、胴体５には揺動機構６を介して旗７を持った腕８が取り付けられている。また、基台３には複数の矢印状の発光体９、９・・・と、「ＩＮ」又は［ＯＵＴ」の文字１０を記した看板１１が設けられている。
【０００８】
図３に示すように、昇降機構４は、左右のネジが切られたネジロッド１２と、このネジロッド１２の各ネジに螺合したナット１３、１３を下端に設け、台板１４に取り付けられたロッド１５にスライド係合した摺動部材１６を上端に設けたパンタグラフ状の伸縮腕１７と、ネジロッド１２を正逆回転するモータ１８と、ナット１３に当接して閉じるスイッチ１９ａ、１９ｂで構成されている。そして、昇降機構４の周囲は上端が台板１４に取り付けられた蛇腹状のシート２０で覆われ、台板１４に人形の胴体５が取り付けられている。
【０００９】
図４に示すように、揺動機構６は、回転円盤２１と、胴体５に支軸２２された揺動杆２３と、回転円盤２１の縁に植設されたピン２４と揺動杆２３の一端に植設されたピン２５を連結した連結杆２６と、回転円盤２１を回転するモータ２７で構成されている。そして、揺動杆２３に腕８が取り付けられている。
【００１０】
上述した発光体９、モータ１８、２７、及びスイッチ１９ａ、１９ｂは制御装置２８に接続され、制御装置２８は電線２９により商用電源へ接続され、信号線３０を介して作動信号が入力するようになっている。
【００１１】
次に動作を説明する。看板１１に「ＯＵＴ」の文字が記された表示装置１は出口に置かれ、看板１１に「ＩＮ」の文字が記された表示装置１は入口に置かれる。そして、信号線３０を介して作動信号が制御装置２８に入力すると、制御装置２８から昇降機構４及び揺動機構６のモータ１８、２７へ駆動信号が出力され、看板１１の発光体９へ点滅信号が出力される。
【００１２】
そして、制御装置２８から駆動信号を受けて昇降機構４のモータ１８は正転し、ネジロッド１２は正転し、ネジロッド１２に螺合しているナット１３が移動して伸縮腕１７が伸び、伸縮腕１７の上端に取り付けられている台板１４が上昇する。そして、伸縮腕１７が伸びきってナット１３でスイッチ１９ａが閉じると、モータ１８は逆転し、ネジロッド１２は逆転して伸縮腕１７が縮み、台板１４が下降する。伸縮腕１７が縮んでナット１３でスイッチ１９ｂが閉じると、モータ１８は再び正転する。これにより、台板１４上の人形は背が高くなったり低くなったりして顕示性が高められ、道路を走行している車の運転者に検知され易くなる。
【００１３】
また、制御装置２８から駆動信号を受けて揺動機構６のモータ２７は回転し、回転円盤２１が回転し、連結杆２６を介して揺動杆２３が支軸２２を支点として揺動する。これにより、揺動杆２３に取り付けられた腕８が揺動し、旗７が振られて顕示性が高められ、道路を走行している車の運転者に検知され易くなる。
【００１４】
さらに、制御装置２８から点滅信号を受けて看板１１の発光体９は、矢印方向へ順次点滅し、車の進む方向が顕示される。これにより、表示装置１は顕示性が高められ、道路を走行している車の運転者に検知され易くなる。
【００１５】
【発明の効果】
以上説明したように本発明の表示装置は、基台上に設けた昇降機構に人形の胴体を取り付け、該胴体に揺動機構を介して旗を持った腕を取り付け、作動信号を受けて昇降機構及び揺動機構を駆動する制御装置を設けている。このように人形は昇降機構により昇降し、人形の腕は揺動機構により揺動するので、表示装置としての顕示性が高くなり、道路を走行している車の運転者に検知され易く、出口に設置した場合は、退出する車及び道路を走行中の車の安全が確保でき、入口に設置した場合は、入車案内としの機能を充分に発揮できるようになる。
【図面の簡単な説明】
【図１】  本発明の表示装置の正面図である。
【図２】  本発明の表示装置の側面図である。
【図３】  昇降機構の一部を断面で示す構成図である。
【図４】  揺動機構の一部を断面で示す構成図である。
【符号の説明】
１  表示装置
２  キャスタ
３  基台
４  昇降機構
５  胴体
６  揺動機構
７  旗
８  腕
９  発光体
１０  文字
１１  看板
１２  ネジロッド
１３  ナット
１４  台板
１５  ロッド
１６  摺動部材
１７  伸縮腕
１８  モータ
１９ａ、１９ｂ  スイッチ
２０  シート
２１  回転円盤
２２  支軸
２３  揺動腕
２４、２５  ピン
２６  連結杆
２７  モータ
２８  制御装置
２９  電線
３０  信号線
【図１】
0003823502.tif 000002
【図２】
0003823502.tif 000003
【図３】
0003823502.tif 000004
【図４】
0003823502.tif 000005